(57)【要約】      （修正有）【課題】転倒防止と衛生面が両立された履物を提供する。【解決手段】履物は、スリッポン型であり、足底部と、足甲部１１と、アッパー部１２と、を有している。足甲部１１は、足の指先と甲を連続的に覆うドーム状の部材であり、足を挿入する開口を有している。アッパー部１２は、足の指先から甲を介して踵まで足全体を覆う部材であり、足を出し入れする履き口１５を有している。アッパー部１２は、足甲部１１の外側に覆うようにして設けられている。アッパー部１２は、ポリエステルとポリエチレンを張り合わせた不織布からなる。【選択図】図１
0003231796.tif 000002
【実用新案登録請求の範囲】
【請求項１】
足底部と、
前記足底部に接合され、足の甲を覆う足甲部と、
前記足甲部の外側に設けられ、前記足底部に接合され、足全体を覆うアッパー部と、
を有し、
前記アッパー部は、撥水性を有した不織布からなる、
ことを特徴とする履物。
【請求項２】
前記足甲部と前記アッパー部は接合されている、ことを特徴とする請求項１に記載の履物。
【請求項３】
前記アッパー部は、ポリエステルとポリエチレンを張り合わせた材料である、ことを特徴とする請求項１または請求項２に記載の履物。
【請求項４】
前記足甲部は、スポンジ状のポリエステルからなることを特徴とする請求項１ないし請求項３のいずれか１項に記載の履物。
【請求項５】
前記足底部は、スポンジ状のポリエステルからなるクッション層と、エチレン酢酸ビニルからなるゴム層とを有する、ことを特徴とする請求項１ないし請求項４のいずれか１項に記載の履物。
【請求項６】
前記アッパー部のうち踵の領域はプリーツ状である、ことを特徴とする請求項１ないし請求項５のいずれか１項に記載の履物。
【請求項７】
前記アッパー部の履き口には輪ゴムが設けられている、ことを特徴とする請求項１ないし請求項６のいずれか１項に記載の履物。
【考案の詳細な説明】
【技術分野】
【０００１】
本開示は、転倒防止と衛生面が両立された履物に関する。
【背景技術】
【０００２】
近時、新型コロナウイルスの感染が拡大しており、病院内などでは衛生面が一層重視されるようになって来ている。そのため、使い捨て可能な履物が求められている。従来の使い捨ての履物としては、不織布のスリッパなどが知られている。
【０００３】
特許文献１には、防災用のルームシューズが記載されており、災害の発生時に釘やガラスなどを踏んで怪我をすることを回避するためのルームシューズが記載されている。このルームシューズは、足底部と甲帯部とを有したスリッパ形状を基本として、後ろに踵掛かり部を設けた構成であり、その踵掛かり部の開口はゴム紐が設けられた構造である。踵掛かり部を設けることによりルームシューズが足にしっかりと装着されるようにしている。また、足底部は、表地と裏地の間にクッション層と踵抜き防止層とを有した多層構造であり、表地と裏地はポリエステル生地、クッション層はポリウレタンスポンジ、踵抜き防止層はポリエステルの織布生地、または不織布生地であることが記載されている。また、甲帯部は、表地と裏地の２層構造で、表地はポリエチレンテレフタラートとポリウレタンの混合繊維生地、裏地は足底部の表地と一体であることが記載されている。
【先行技術文献】
【特許文献】
【０００４】
【特許文献１】実用新案登録第３２２４０４２号
【考案の概要】
【考案が解決しようとする課題】
【０００５】
しかし、従来の使い捨ての履物は、スリッパ状で踵がなく、足にしっかりと装着されるものではないため、転倒しやすいという問題があった。
【０００６】
そこで本開示は、転倒防止と衛生面が両立された履物を提供する。
【課題を解決するための手段】
【０００７】
本開示の履物は、足底部と、足底部に接合され、足の甲を覆う足甲部と、足甲部の外側に設けられ、足底部に接合され、足全体を覆うアッパー部と、を有し、アッパー部は、撥水性を有した不織布からなる、ことを特徴とする履物である。
【考案の効果】
【０００８】
本開示の履物によれば、転倒防止と衛生面を両立させることが可能である。
【図面の簡単な説明】
【０００９】
【図１】第１の実施形態の履物を上側から見た図。
【図２】第１の実施形態の履物を底側から見た図。
【図３】第１の実施形態の履物の甲部分における断面を示した図。
【図４】第１の実施形態の履物の踵部分における断面を示した図。
【考案を実施するための形態】
【００１０】
（第１の実施形態）
図１は、第１の実施形態に係る履物を斜め上方から見た図であり、図２は底側から見た図である。図１、２のように、第１の実施形態に係る履物は、スリッポン型であり、足底部１０と、足甲部１１と、アッパー部１２と、を有している。また、図３は、第１の実施形態の履物の甲部分における断面を示した図であり、図４は踵部分における断面を示した図である。
【００１１】
足底部１０は、足裏の形状を有した平坦な部材である。足底部１０は、クッション層１３とゴム層１４の２層で構成されていて、クッション層１３は内側、ゴム層１４が外側である。クッション層１３は、スポンジ状のポリエステルからなるシートである。クッション層１３を設けることにより足への負荷を軽減している。ゴム層１４は、エチレン酢酸ビニル（ＥＶＡ）からなるゴムのシートである。ＥＶＡを用いることで軽量性とクッション性を両立し、履き心地を向上させている。また、ゴム層１４の地面と接する側の面には、周期的なパターンに配列された複数の凸部１８が設けられている。この凸部１８は滑り止めとして設けられたものである。
【００１２】
足甲部１１は、足の指先と甲を連続的に覆うドーム状の部材であり、足を挿入する開口を有している。また、足甲部１１は、足底部１０の縁で接合されている。足甲部１１は、スポンジ状のポリエステルからなる。このように足甲部１１を設けることにより、足の甲と履物の密着性をよくし転倒の防止を図っている。
【００１３】
なお、第１の実施形態では、足甲部１１は指先から甲までを覆うドーム状としているが、帯状として指先が開放された構造としてもよい。ただし、足と履物の密着性をよくして転倒を防止する観点からは、第１の実施形態のように指先から甲までを覆うようにすることが好ましい。
【００１４】
アッパー部１２は、足の指先から甲を介して踵まで足全体を覆う部材であり、足を出し入れする履き口１５を有している。アッパー部１２は、足甲部１１の外側に覆うようにして設けられている。また、アッパー部１２は足底部１０の縁の部分で接合されている。
【００１５】
アッパー部１２は、ポリエステルとポリエチレンを張り合わせた不織布からなり、内側がポリエチレン、外側がポリエステルとなるように配置されている。この不織布は、米国医療器具振興協会（ＡＡＭＩ）によって定められた医療用ガウン類の防護性能を示す規格ＰＢ７０のレベル３を満たしており、高い耐水性、撥水性を有している。これにより、外部からの液体により履物が汚れてしまうのを防止することができる。たとえば、病院内で第１の実施形態の履物を使用する場合、履物が血液、汗、尿などによって汚れることを防止でき、衛生面を向上できる。
【００１６】
足甲部１１の開口近傍の領域で、足甲部１１とアッパー部１２は縫い合わされ、接合されている。これにより、第１の実施形態の履物を履く際に、足甲部１１とアッパー部１２の間に足が入ってしまうことを防止し、履きやすさを向上させている。
【００１７】
アッパー部１２のうち踵の領域は、プリーツ状となっている。プリーツの折り目は足底部１０から履き口１５に向かう縦方向である。このように踵をプリーツ状とすることにより、サイズに余裕を持たせ、脱ぎ履きを容易とするとともに、様々な足型に対応できるようにしている。
【００１８】
アッパー部１２の踵の外側には、帯状の持ち手１６が縫い合わされている。持ち手１６は、ポリエステルからなる不織布である。持ち手１６を設けることにより、第１の実施形態の履物を脱ぎ履きしやすいようにしている。
【００１９】
アッパー部１２の履き口１５において、不織布が筒状に折り返して縫い合わされており、その筒の内部に輪ゴム１９が設けられている。これにより、履き口１５の大きさを可変とすることができ、履物の脱ぎ履きをしやすくしている。また、履き口１５を足首にフィットさせることができ、履物と足との密着性をよくすることで転倒防止が図られている。
【００２０】
第１の実施形態の履物は、履物の縁の部分では、図３、４に示すように、足底部１０、足甲部１１、アッパー部１２の積層（ただし踵部分では足底部１０、アッパー部１２の積層）となっている。そして、この積層をＵ字型に密着して挟み込むようにして、封止部１７が覆っている。つまり、封止部１７は、足底部１０裏面からアッパー部１２表面にわたってＵ字型に密着して覆っている。履物の縁の部分において、足底部１０、足甲部１１、アッパー部１２の積層と、その積層をＵ字型に挟む封止部１７とをまとめて糸が貫通するようにして縫い合わされている。これにより、足甲部１１およびアッパー部１２が足底部１０の縁で接合されるようにするとともに、封止部１７を履物の縁に接合している。封止部１７は、ポリエステルからなる不織布である。封止部１７を設けることにより、足甲部１１およびアッパー部１２と足底部１０との接合強度を高めるとともに、履物の内部の封止性を高めて衛生面を向上させている。
【００２１】
なお、第１の実施形態では、足底部１０と足甲部１１との接合、足底部１０とアッパー部１２の接合、および足甲部１１とアッパー部１２との接合には、糸による縫合を用いているが、接着剤などによって接合してもよい。また、封止部１７を設けずに、履物の縁の部分において、足底部１０、足甲部１１、アッパー部１２の積層を縫い合わせてもよい。
【００２２】
また、第１の実施形態の履物は線対称な形状であり、右足と左足とで共通の形状となっているが、異なる形状としてもよい。
【００２３】
以上、第１の実施形態の履物は、足甲部１１によって足のつま先と甲がホールドされ、アッパー部１２によって足全体、特に踵がホールドされるため、足に履物がしっかりと装着される。足底部１０の裏側には溝が設けられている。そのため、第１の実施形態の履物を履いた状態において転倒しづらくなっている。また、第１の実施形態の履物は、全てが使い捨て可能な材料で構成されており、アッパー部１２は耐水性の材料であるため、衛生面で優れている。したがって、第１の実施形態の履物によれば、転倒防止と衛生面とを両立させることができる。
【符号の説明】
【００２４】
１０：足底部
１１：足甲部
１２：アッパー部
１３：クッション層
１４：ゴム部
１５：履き口
１６：持ち手
１７：封止部
１８：凸部
１９：輪ゴム
【図１】
0003231796.tif 000003
【図２】
0003231796.tif 000004
【図３】
0003231796.tif 000005
【図４】
0003231796.tif 000006